(57)【特許請求の範囲】
【請求項１】
遊技盤の前面に遊技球が流下可能な遊技領域が形成されているとともに、前記遊技領域内に、所定の条件が充足されると図柄を変動表示し、所定の時間が経過すると前記図柄を確定表示する図柄表示部と、前記図柄の変動表示中に、モータの駆動に伴い所定の態様で昇降動作する電動役物とが設けられたパチンコ機であって、
前記電動役物を上方へ付勢する付勢部材を設けるとともに、
前記モータの駆動に連動して回転するカムと、中間部が前後方向を軸として軸支され、上下方向へ揺動可能とされた昇降アームとを設け、前記昇降アームの一端に前記電動役物を連結する一方、前記昇降アームの他端側に前記カムが作用可能としており、
前記モータが駆動すると、前記カムが前記昇降アームの前記他端側を下方へ押圧して前記昇降アームを揺動させることにより、前記付勢部材の付勢力に抗して下降位置にある前記電動役物が、前記付勢力に補助されながら上昇するとともに、前記電動役物が上昇位置に達すると、前記カムと前記他端側とが離れて前記カムによる押圧が解除となり、前記電動役物が自身の重さで落下して下降位置へ移動することを特徴とするパチンコ機。
【発明の詳細な説明】
【技術分野】
【０００１】
本発明は、遊技領域へ遊技球を打ち込んで流下させて遊技するパチンコ機に関するものである。
【背景技術】
【０００２】
従来、一般的なパチンコ機には、図柄始動口への遊技球の入賞等といった所定条件が充足された際に図柄を変動表示するとともに、所定時間の経過に伴い図柄を大当たり表示態様又は外れ表示態様で確定表示させる図柄表示部と、図柄表示部における表示状況や大当たり状態の生起等といった遊技状態に応じて昇降動作する電動役物とが設けられている（たとえば特許文献１）。
【先行技術文献】
【特許文献】
【０００３】
【特許文献１】特開２０１０−１５８３２６号公報
【発明の概要】
【発明が解決しようとする課題】
【０００４】
特許文献１に記載されているような従来のパチンコ機では、モータのトルクのみによって電動役物を昇降動作させている。したがって、電動役物を大型化しようとすると、モータについてもトルクの大きな大型のモータが必要となり、設置スペースやコストの面で問題が生じる。また、特に電動役物を自身の重さで落下させることによって下降させるような場合、電動役物に損傷が生じやすいという問題もある。
【０００５】
そこで、本発明は、上記問題に鑑みなされたものであって、たとえ電動役物が大型であっても、それほど大きなトルクを出力することができるモータを必要とすることなく電動役物を昇降動作させることができる上、電動役物を自身の重さで落下させたとしても電動役物に損傷が生じにくいパチンコ機を提供しようとするものである。
【課題を解決するための手段】
【０００６】
上記目的を達成するために、本発明のうち請求項１に記載の発明は、遊技盤の前面に遊技球が流下可能な遊技領域が形成されているとともに、前記遊技領域内に、所定の条件が充足されると図柄を変動表示し、所定の時間が経過すると前記図柄を確定表示する図柄表示部と、前記図柄の変動表示中に、モータの駆動に伴い所定の態様で昇降動作する電動役物とが設けられたパチンコ機であって、前記電動役物を上方へ付勢する付勢部材を設けるとともに、前記モータの駆動に連動して回転するカムと、中間部が前後方向を軸として軸支され、上下方向へ揺動可能とされた昇降アームとを設け、前記昇降アームの一端に前記電動役物を連結する一方、前記昇降アームの他端側に前記カムが作用可能としており、前記モータが駆動すると、前記カムが前記昇降アームの前記他端側を下方へ押圧して前記昇降アームを揺動させることにより、前記付勢部材の付勢力に抗して下降位置にある前記電動役物が、前記付勢力に補助されながら上昇するとともに、前記電動役物が上昇位置に達すると、前記カムと前記他端側とが離れて前記カムによる押圧が解除となり、前記電動役物が自身の重さで落下して下降位置へ移動することを特徴とする。
なお、上記発明において、前記昇降アームに、前後方向へ折り曲げてなる段部を形成するとともに、前記昇降アームの後面に、補強金属板を固着するという第１の構成を採用することも可能である。そして、そのような第１の構成を採用することで、昇降アームの強度を向上することができ、大型の電動役物であっても昇降アームが変形したりしないといった効果を奏することができる。
また、上記発明や第１の構成を採用したものにおいて、前記電動役物に、前記図柄表示部及び／又は前記電動役物の本体とは独立して動作する可動部材を設けるという第２の構成を採用することも可能である。そして、そのような第２の構成を採用することで、配線に係る問題を心配することなく、電動役物と共に図柄表示部までもが移動したり、電動役物が動作した上で、更に可動部材が動作するといった二段形式の動作演出を実行したりすることができ、パチンコ機の遊技性を更に向上することができるといった効果を奏することができる。
【発明の効果】
【０００７】
本発明によれば、電動役物を上方へ付勢する付勢部材を設けており、電動役物を上昇させる際、モータのトルクのみではなく付勢部材の付勢力も利用して上昇させるように構成しているため、モータにかかる負荷を軽減することができ、従来よりもトルクの小さなモータで対応することができる。したがって、モータの設置スペースを省スペース化することができるし、コストの低減も図ることができる。
また、電動役物を自身の重さで落下させて下降位置へ移動させるように構成しているものの、付勢部材が緩衝部材としての機能を発揮するため、電動役物の損傷等を防止することができる。さらに、電動役物の下降にモータを必要としないため、モータの負荷軽減による耐久性の向上は勿論のこと、モータで下降させるよりも速く上昇位置から下降位置へ移動させることができ、スピード感のある演出を実行することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】センター部材を前面側から示した説明図である。
【図５】電動役物を取り外した状態を前面側から示した説明図である。
【図６】センター部材の斜視説明図であり、機構部を分解した状態を示している。
【図７】図４中のＡ−Ａ線の部分（特に機構部）断面を示した説明図である。
【図８】昇降部材が下降した状態にあるセンター部材を前面側から示した説明図である。
【図９】本体カバーを取り外し、電動役物の内部を示した説明図であり、昇降部材は上昇位置にある。
【図１０】本体カバーを取り外し、電動役物の内部を示した説明図であり、昇降部材は下降位置にある。
【図１１】昇降部材及びその駆動機構を示した斜視説明図である。
【図１２】電動役物を後面側から示した説明図である。
【図１３】カバー体の内部にある電動役物を動作させる機構を後面側から示した説明図であり、電動役物は下降位置にある。
【図１４】カバー体の内部にある電動役物を動作させる機構を後面側から示した説明図であり、電動役物は上昇位置にある。
【図１５】（ａ）は、昇降アームを示した斜視説明図であり、（ｂ）は、補強金属板を取り外した状態を示した昇降アームの斜視説明図である。
【図１６】電動役物が上昇位置にある状態を前面側から示した説明図である。
【図１７】電動役物が左側へ揺動した状態を前面側から示した説明図である。
【図１８】電動役物が右側へ揺動した状態を前面側から示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、遊技領域１６の半分以上の面積を有する大開口が開設されており、該大開口内には、「０」〜「９」の数字や絵柄等からなる図柄を表示するための図柄表示部６を有する電動役物３１が設けられている。さらに、電動役物３１を収納可能なカバー体３２（図４に示す）と、電飾部材２０や電動役物３１を囲むように配設された種々の報知部材３０、３０・・とを有するセンター部材２６が遊技盤２に設置されている。さらにまた、遊技領域１６には、一対の爪片を開閉動作可能に備えたチューリップ式電動役物１７、開閉可能な扉部材を有する大入賞装置１８、遊技球が入賞可能な図柄始動口１９や多数の遊技釘等が設置されている。加えて、遊技領域１６の左下部には、３つの入賞口９１ａ、９１ｂ、９１ｃが設けられているとともに、遊技領域１６のチューリップ式電動役物１７と大入賞装置１８との間にも入賞口９１ｄが設けられている。
【００１２】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するためのメイン制御装置（図示せず）、図柄表示部６における表示動作等を制御する表示制御装置（図示せず）、ランプ部材１５や報知部材３０、電飾部材２０の点灯／点滅動作等を制御する発光制御装置（図示せず）、スピーカ１４からの報音動作を制御する音制御装置（図示せず）、及び表示制御装置や音制御装置等の動作を統合的に制御するとともに、電動役物３１の動作を制御するサブ制御装置（図示せず）等が設置されている。尚、２２は、パチンコ機１をトランスに接続するためのプラグであり、２７は、アースである。
【００１４】
以上のようなパチンコ機１では、遊技者によってハンドル９が回動操作されると、発射装置１０が作動して遊技球が遊技領域１６内へ打ち込まれる。そして、遊技領域１６内を流下する遊技球が図柄始動口１９やチューリップ式電動役物１７へ入賞すると、メイン制御装置にて「大当たり抽選」を行う。該「大当たり抽選」は、乱数から１つの数値を取得する態様で行われ、取得した数値に応じて、「大当たり」であるか「外れ」であるかを決定するとともに、図柄の変動時間を決定する。そして、「大当たり抽選」の結果、「大当たり」である場合には、決定した変動時間だけ図柄を変動表示させた後、図柄表示部６に所定の「大当たり図柄」（たとえば、「７、７、７」等）を確定表示させる。さらに確定表示後、大入賞装置１８の扉部材を所定回数にわたって断続的に開成させるといった所謂「大当たり状態」を生起させる。一方、「大当たり抽選」の結果、「外れ」である場合には、決定した変動時間だけ図柄を変動表示させた後、図柄表示部６に「外れ図柄」（たとえば、「１、２、１」等）を確定表示させる。また、図柄の変動表示中（たとえばリーチ演出中等）において、サブ制御装置による制御のもと、電動役物３１を種々の態様で遊技盤２面と平行な面内で動作させ、遊技者に「大当たり状態」生起の期待感を抱かせる。
【００１５】
（電動役物の構造）
ここで、本発明の要部となるセンター部材２６及び電動役物３１について、まずセンター部材２６の構造を図４〜図７にもとづき詳細に説明する。図４は、センター部材２６を前面側から示した説明図である。図５は、電動役物３１を取り外した状態を前面側から示した説明図である。図６は、センター部材２６の斜視説明図であり、機構部３６を分解した状態を示している。図７は、図４中のＡ−Ａ線の部分（特に機構部３６）断面を示した説明図である。
【００１６】
センター部材２６のカバー体３２は、前面に開口する合成樹脂製の箱体で、電動役物３１を収納可能となっているとともに、カバー体３２の前面開口の周縁部には、遊技盤２の後面へ固定するための固定部３３、３３・・が設けられている。また、カバー体３２の内面には、カバー体３２の内部空間を前後で仕切るように装飾パネル３４が取り付けられている。装飾パネル３４は、金属片を混入した合成樹脂製で、該装飾パネル３４の前方に電動役物３１が収納されるようになっており、電動役物３１の可動範囲よりも広い範囲にわたり位置している。また、装飾パネル３４の表面で、電動役物３１の後方となる位置には、電動役物３１が装飾パネル３４の前方をスライドする際に、前後方向へのバタ付きを防止するための案内レール３５、３５が「ハ」字状に設けられている。
【００１７】
加えて、カバー体３２の下部で、電動役物３１を収納した際に電動役物３１よりも下方となる位置には、機構部３６が設けられており、該機構部３６には、図柄始動口１９や入賞口９１ａ〜９１ｄへ入賞した遊技球を下方へ排出するための第１排出レール３７と第２排出レール３８とが組み付けられるとともに、第１排出レール３７を組み付けた際に第１排出レール３７と機構部３６との間に形成される空間を仕切るための仕切り部材３９が組み付けられるようになっている。第１排出レール３７は、前面に開口する箱体で、１つの排出路３７ａが設けられており、機構部３６の左側部にネジ止めされるようになっている。そして、３つの入賞口９１ａ、９１ｂ、９１ｄへ入賞した遊技球は夫々図示しないセンサを通過した後、全て排出路３７ａへ導かれ、下方へと排出されるようになっている。一方、第２排出レール３８は、第１排出レール３７同様に、前面に開口する箱体で、３つの排出路３８ａ、３８ｂ、３８ｃが設けられており、機構部３６の右側部にネジ止めされるようになっている。そして、チューリップ式電動役物１７及び図柄始動口１９へ入賞した遊技球は夫々対応するセンサ（図示せず）を通過した後、左側の排出路３８ａへ導かれ、下方へと排出されるようになっている。また、入賞口９１ｄへ入賞した遊技球は中央の排出路３８ｂへ、大入賞装置１８へ入賞した遊技球は右側の排出路３８ｃへ、夫々対応するセンサを通過した後に導かれ、下方へ排出されるようになっている。
【００１８】
さらに、仕切り部材３９は、第１排出レール３７の後方に、第１排出レール３７と共にネジ止めされるようになっており、仕切り部材３９を組み付けることで第１排出レール３７と仕切り部材３９との間、及び仕切り部材３９と機構部３６との間に夫々空間が形成されることになる。そして、該両空間は、電動役物３１とサブ制御装置とを電気的につなぐリード線を通すための配線路として利用可能となっており、前方側の第１配線路３９ａには、電動役物３１の図柄表示部６のためのリード線が通され、後方側の第２配線路３９ｂには、その他のリード線（たとえば電動役物３１をスライドさせるためのモータや電動役物３１の装飾ＬＥＤ９２等のためのリード線）が配線されるようになっている。尚、機構部３６の左端部には、リード線を接続するためのコネクタ部４０が設けられており、第１排出レール３７や仕切り部材３９を組み付けることで、該コネクタ部４０の上方に、リード線を引き出すための引き出し口（図示せず）が形成される。
【００１９】
次に、電動役物３１の構造を図４〜図７に加え、図８〜図１２にもとづき詳細に説明する。図８は、昇降部材４４が下降した状態にあるセンター部材２６を前面側から示した説明図である。図９は、本体カバーを取り外し、電動役物３１の内部を示した説明図であり、昇降部材４４は上昇位置にある。図１０は、本体カバーを取り外し、電動役物３１の内部を示した説明図であり、昇降部材４４は下降位置にある。図１１は、昇降部材４４及びその駆動機構を示した斜視説明図である。図１２は、電動役物３１を後面側から示した説明図である。
【００２０】
一方、電動役物３１は、正面視が所定のキャラクター形状（ここではダルマ）に形成され、その前面の表面積が遊技領域１６の面積の半分以上にもなる本体カバー内に各種基板や駆動機構等を設置してなるもので、中央より稍下方となる位置に図柄表示部６が設けられている。また、図柄表示部６の下方には、図柄表示部６で図柄の変動表示中に図柄始動口１９及びチューリップ式電動役物１７へ遊技球が入賞した際、当該入賞を保留として表示する保留表示部４１と、図柄表示部６における確定表示に伴い「大当たり」であるか「外れ」であるかをＬＥＤの点灯（大当たり）／消灯（外れ）で表示する証拠図柄表示部４２とが設けられている。さらに、図柄表示部６の周囲には、図柄表示部６における変動表示態様（たとえばスーパーリーチ等）に応じて種々の色及び態様で点灯／点滅する複数の装飾ＬＥＤ４３、４３・・が設けられている。加えて、本体カバーは、透光性を有する合成樹脂で形成されているともに、本体カバーの内部で、電動役物３１の外周縁部にも、多数の装飾ＬＥＤ９２、９２・・を前方へ向けて発光するように搭載した発光基板９３、９３・・が設置されており、上記装飾ＬＥＤ４３同様に、図柄表示部６における変動表示態様に応じて電動役物３１全体が種々の色／及び態様で点灯／点滅するようになっている。尚、ダルマの目に相当する箇所の内部等にも図示しない装飾ＬＥＤが設置されている。
【００２１】
さらに、電動役物３１における図柄表示部６の上部には、本体カバーに図示しない開口が設けられているとともに、本体カバーに対して昇降し、該開口を開閉する昇降部材４４が設けられている。昇降部材４４は、キャラクター状のブロック体４５ａ及びブロック体４５ａの周囲に取り付けられた透光性を有する光拡散板４５ｂからなる発光部４５と、発光部４５よりも前方へ突出されており、透光性を有さない合成樹脂製のカバー部４６とからなる。また、本体カバー内には、昇降部材４４を昇降させるための昇降機構が設けられている。該昇降機構は、モータ４７と、モータ４７の駆動に応じて前後方向を軸に相反方向へ回転する一対のギア４８、４８とからなり、各ギア４８の偏心位置には、前方へ突出する突起４８ａが設けられている。該ギア４８、４８は、モータ４７の下方で、且つ、モータ４７を中心として突起４８ａ同士が左右で対称に位置するような姿勢で並設されている。また、各ギア４８の左右方向で外側には、案内溝５５に沿って上下方向へスライド可能なスライド体５６が夫々設けられている。そして、上記昇降部材４４の発光部４５ａが、突起４８ａ、４８ａに軸着されているとともに、スライド体５６、５６に固着されている。したがって、モータ４７の駆動に伴いギア４８、４８が回転し、各ギア４８の突起４８ａが上下方向へ移動するのに伴って、昇降部材４４は、カバー部４６により本体カバーの開口を閉塞してカバー部４６のみが本体カバー外に露出し、発光部４５については本体カバー内に収納された状態である上昇位置（図４に示す）と、カバー部４６が図柄表示部６の前方を覆う位置まで下がり発光部４５が開口を介して本体カバー外に露出する下降位置（図８に示す）との間を、スライド体５６に案内されながら昇降可能となっている。
【００２２】
さらにまた、ギア４８、４８よりも上方には、掛止片５４、５４が設けられており、掛止片５４、５４と発光部４５の左右上隅部（すなわち掛止片５４よりも左右方向で外側となる位置）とがコイル状のバネ４９、４９で連結されている。つまり、バネ４９、４９は、下方へ向かって左右外側へ拡がる正面視「ハ」字状となるような姿勢で取り付けられており、各バネ４９は、自身が縮む斜め上方へ昇降部材４４を付勢している。そして、そのようなバネ４９、４９により昇降部材４４を付勢することで、昇降部材４４の昇降動作時に昇降部材４４が左右で傾いたり、前後にばたついたりすることを防止可能としている。加えて、昇降部材４４の後方には、複数のＬＥＤ５０ａ、５０ａ・・が前方へ向けて発光するように搭載された発光基板５０が固定されている。該発光基板５０は、昇降部材４４が上昇位置にある際にはカバー部４６の後方に位置し、カバー部４６により被覆され、遊技者からは視認できないようになっている。そして、昇降部材４４が下降位置に達すると発光基板５０の前方に発光部４５が位置し、当該状態でＬＥＤ５０ａ、５０ａ・・を点灯／点滅させることにより、光拡散板４５ｂを介して拡散された光による発光演出が可能となっている。
【００２３】
また、電動役物３１の後面の周縁部にも、前面側同様に、装飾ＬＥＤ５１、５１・・が設けられている。後方へ向けて発光する該装飾ＬＥＤ５１、５１・・も、図柄表示部６における変動表示態様や電動役物３１の動作に応じて点灯／点滅するようになっており、金属片が混入された装飾パネル３４に反射して電動役物３１の外周縁を浮かび上がらせる間接照明として機能するようになっている。尚、装飾ＬＥＤ５１、５１・・は、装飾ＬＥＤ９２、９２・・と同じ発光基板９３に搭載されている（搭載面の表裏は異なっている）。
さらに、電動役物３１の後面で、下方の左右両側には後方へ突出する一対のリブ５２、５２が上下方向へ延設されており、電動役物３１をカバー体３２内へ収納した際、当該リブ５２、５２の後面が案内レール３５の前面に交差するような姿勢で当接するようになっている。
【００２４】
加えて、電動役物３１の下端には、配線路３９ａ、３９ｂに沿って配線されるリード線を本体カバー内へ引き込むための引き込み口（図示せず）が下方へ開口している。また、引き込み口の内側には、中心にネジ孔が形成された昇降用連結ボス５３が後方から前方へ突設されており、引き込み口を左右に区画している。そして、第１配線路３９ａに沿って配線されたリード線は昇降用連結ボス５３の右側から、第２配線路３９ｂに沿って配線されたリード線は昇降用連結ボス５３の左側から夫々本体カバー内へ引き込むようになっている。
【００２５】
次に、電動役物３１を動作させる機構について図４〜図１２に加え、図１３〜図１８にもとづき詳細に説明する。図１３は、カバー体３２の内部にある電動役物３１を動作させる機構を後面側から示した説明図であり、電動役物３１は下降位置にある。図１４は、カバー体３２の内部にある電動役物３１を動作させる機構を後面側から示した説明図であり、電動役物３１は上昇位置にある。図１５（ａ）は、昇降アーム６６を示した斜視説明図であり、図１５（ｂ）は、補強金属板６９を取り外した状態を示した昇降アーム６６の斜視説明図である。図１６は、電動役物３１が上昇位置にある状態を前面側から示した説明図である。図１７は、電動役物３１が左側へ揺動した状態を、図１８は電動役物３１が右側へ揺動した状態を夫々前面側から示した説明図である。
【００２６】
電動役物３１を動作させる機構としては、電動役物３１を遊技領域１６と平行な面内で左右方向へ揺動させるための揺動用機構と、電動役物３１を遊技領域１６と平行な平面内で上下方向へスライドさせるための昇降用機構とが備えられている。まず、揺動用機構について説明すると、装飾パネル３４の後方でカバー体３２の内部となる位置に、電動役物３１の後面に突設された揺動用連結ボス５９に軸着された第１ケーシング体７５が設けられており、該第１ケーシング体７５に揺動用機構が設置されている。そのため、揺動用機構は、カバー体３２に対しては独立しており、カバー体３２の内部において第１ケーシング体７５と共に移動可能となっている。そして、その揺動用機構は、揺動用モータ６０と、揺動用モータ６０の駆動に連動して回転する複数のギア（図示せず）と、揺動用モータ６０が駆動した際に複数のギアを介して左右方向へ揺動する揺動アーム６１と、揺動アーム６１（ひいては電動役物３１）の揺動を案内する揺動ガイド体６２及び揺動用スリット６３とを備えてなる。
【００２７】
揺動用モータ６０は、前後方向を軸として回転するように第１ケーシング体７５に設置されている。また、揺動アーム６１は上下方向へ長い帯状体で、第１ケーシング体７５の内部における揺動モータ６０の前方位置において、揺動モータ６０の駆動に伴い上端部を軸として左右方向へ揺動可能に取り付けられている。尚、揺動用モータ６０の駆動に連動する複数のギアによって揺動アーム６１を揺動させるための構造としては、以下のような一般的な構造を採用している。つまり、揺動用モータ６０の駆動に連動し、前後方向を軸として回転するギアを設けるとともに、該ギアの前面における偏心位置に前方へ突出する突起を設ける一方、揺動アーム６１にその長手方向へ延びるスリットを設け、ギアの突起を揺動アーム６１のスリットへ挿通させてギアと揺動アーム６１とを連結した構造である。
【００２８】
また、揺動アーム６１の下部には、揺動アーム６１を前後方向で貫通するように揺動ガイド体６２が取り付けられており、該揺動ガイド体６２の前端部が揺動用連結ボス５９に軸着されている。さらに、第１ケーシング体７５の後面には、揺動アーム６１が揺動した際の揺動ガイド体６２の移動軌跡に沿って揺動用スリット６３が開設されている。そして、揺動ガイド体６２の後端部が揺動用スリット６３へ係合しており、揺動用スリット６３内を揺動方向でスライド可能となっている。一方、電動役物３１の下端部には、昇降用連結ボス５３へ螺着される昇降ガイド体５７が設けられており、当該昇降ガイド体５７がカバー体３２の後面に上下方向へ長く開設された昇降用スリット５８へ上下方向へのみ移動可能に係合されており、左右方向への移動については規制可能としている。
【００２９】
そして、上記揺動用機構では、揺動用モータ６０が駆動すると揺動アーム６１が揺動し、該揺動アーム６１の揺動に伴い、電動役物３１が、揺動ガイド体６２及び揺動用スリット６３に案内されながら、昇降ガイド体５７の位置を軸として図１７に示す左位置から図１８に示す右位置に亘り左右方向へ揺動するようになっている。尚、揺動用スリット６３の中央下面には、図示しない僅かな凹部が形成されている。そして、該凹部へ揺動ガイド体６２が嵌り込むことにより、電動役物３１が揺動方向で中央に位置する際に、電動役物３１をガタ付かせることなく安定して保持可能としている。また、揺動アーム６１における揺動ガイド体６２の貫通箇所も、上記揺動を可能とするために揺動アーム６１の長手方向へ長いスリット状となっている。
【００３０】
一方、昇降用機構は、カバー体３２の内部に固定された第２ケーシング体内に設けられており、カバー体３２に固定された昇降用モータ６５と、昇降用モータ６５の駆動に連動して回転するカム６８を含んだ複数のギアと、カム６８によりカバー体３２内部で上下方向へ揺動する昇降アーム６６と、電動役物３１を上昇方向へ付勢するバネ部材６７と、電動役物３１の昇降を案内する昇降ガイド体５７及び昇降用スリット５８とを備えてなる。昇降用モータ６５は、カバー体３２の後方から見て左上部となる位置に前後方向を軸として回転するように設置されており、該昇降用モータ６５の近傍には、カム６８が取り付けられている。カム６８は、外周縁部の一部が径方向で他の部位よりも突出するもので、該突出部は鉤状に形成され、その周面で昇降アーム６６の基端部後面に設けられた突起６４を押圧し、昇降アーム６６を作動させる作用部６８ａとなっている。そして、該カム６８が前後方向を軸として回転すると、基端部が上限位置にある（すなわち、電動役物３１が下降位置にある）昇降アーム６６の突起６４を作用部６８ａが押圧し、当該昇降アーム６６の基端部を下限位置に達する（すなわち、電動役物３１が上昇位置に達する）まで押し下げるようになっている。
【００３１】
また、昇降アーム６６は、左右方向へ長い合成樹脂製の棒状部材であって、前後方向へ折り曲げてなる段部を有するとともに、後面には補強金属板６９が固着されてなる。さらに、昇降アーム６６の中間部である略中央部分には軸孔７０が設けられている。そして、該軸孔７０へ中心軸７０ａが挿通されて、第２ケーシング体の内部で昇降用モータ６５よりも中央寄りとなる位置に前後方向を軸として軸支されている。したがって、揺動アーム６６は、当該中心軸７０ａを軸として上下に揺動可能となっている。また、昇降アーム６６の基端部の前面にはアームガイド体（図示せず）が設置されている一方、第２ケーシング体の前面には、アームガイド体の移動軌跡に沿って円弧状にアーム用スリット７１が設けられている。そして、該アーム用スリット７１とアームガイド体とが係合しており、アーム用スリット７１内をアームガイド体がスライドすることにより、昇降アーム６６の揺動を案内可能としている。さらに、昇降アーム６６の基端部後面には、カム６８の周面に当接可能な突起６４が突設されている。
【００３２】
一方、昇降アーム６６の先端部には、長手方向へ長い長孔７２が穿設されており、該長孔７２へ第１ケーシング体７５の後面から後方へ突出する連結部材７４が係合し、昇降アーム６６と第１ケーシング体７５、ひいては電動役物３１とが連結されている。加えて、第１ケーシング体７５には下方へ突出する凸部が設けられており、該凸部にコイル状のバネ部材６７が嵌装されている。さらに、カバー体３２における凸部の下方となる位置にはバネ部材６７の下部を収納して支持する支持凹部７３が設けられており、該バネ部材６７によって第１ケーシング体７５（電動役物３１）が上昇方向へ付勢されている。
【００３３】
そして、上記昇降用機構では、通常時、電動役物３１は自身の重さにより、バネ部材６７の付勢力に抗して図４及び図１３に示すような下降位置にある。したがって、揺動アーム６６の基端部は上限位置にあり、揺動アーム６６の突起６４はカム６８の作用部６８ａ以外の周面に当接している。ここで、昇降用モータ６５が駆動するとカム６８が回転して作用部６８ａが突起６４を押し下げ始める。すると、揺動アーム６６の先端部は上方へ移動し始め、電動役物３１は、バネ部材６７の付勢力にも助けられながら、昇降ガイド体５７及び昇降用スリット５８に案内されながら上昇を開始する。その後、カム６８が回転を続け、作用部６８ａが突起６４から離れる直前において電動役物３１は図１４及び図１６に示すような上昇位置へ達する（揺動アーム６６の基端部は下限位置へ達する）。ここから更にカム６８が回転し、作用部６８ａが突起６４から離れると、作用部６８ａによる突起６４の押圧が解除となり、電動役物３１は自身の重さによりバネ部材６７の付勢力に抗しながら落下し、上記下降位置へと復帰する。
【００３４】
（本実施形態のパチンコ機による効果）
以上のような構成を有するパチンコ機１によれば、遊技球の図柄始動口１９やチューリップ式電動役物１７への入賞に伴い変動表示する図柄表示部６を、その変動表示中に遊技盤２面と平行な面内で上下へ昇降したり左右へ揺動したりする電動役物３１に設けており、図柄表示部６が電動役物３１と共に上下方向及び左右方向へ移動可能となっている。さらに、電動役物３１は、その前面の表面積が遊技領域１６の面積の半分以上にもなるような大きさとなっている。したがって、従来にない大型の電動役物３１が動作し、且つ、電動役物３１と共に図柄表示部６までもが移動するという斬新な演出を遊技者に提供することができ、遊技性の向上を図ることができる。
【００３５】
また、電動役物３１に保留表示部４１及び証拠図柄表示部４２を設けており、図柄表示部６に加えてこれら両表示部４１、４２も電動役物３１と共に上下方向及び左右方向へ移動する。したがって、更に斬新な演出を遊技者に提供することができる。
さらに、電動役物３１には、電動役物３１本体とは独立して動作可能な昇降部材４４が設けられている。したがって、電動役物３１が動作した上で、更に昇降部材４４が動作するといった二段形式の動作演出を実行することができ、パチンコ機１の遊技性を更に向上することができる。
【００３６】
またさらに、電動役物３１を上昇方向へ付勢するバネ部材６７を設けており、昇降用モータ６５が駆動すると、バネ部材６７の付勢力に抗して下降位置にある電動役物３１が、付勢力に補助されながら上昇して上昇位置に達するように構成しているため、昇降用モータ６５にかかる負荷を軽減することができ、従来よりもトルクの小さなモータで対応することができる。したがって、昇降用モータ６５の設置スペースを省スペース化することができるし、コストの低減も図ることができる。
また、電動役物３１を自身の重さで落下させて下降位置へ移動させるように構成しているものの、バネ部材６７が緩衝部材としての機能を発揮するため、電動役物３１の損傷等を防止することができる。さらに、電動役物３１の下降に昇降用モータ６５を必要としないため、昇降用モータ６５の負荷軽減による耐久性の向上は勿論のこと、モータを利用して下降させるよりも速く上昇位置から下降位置へ移動させることができ、スピード感のある演出を実行することができる。
さらにまた、電動役物３１の後面には、後方へ突出する一対のリブ５２、５２を設ける一方、電動役物３１の後方に位置する装飾パネル３４には、前方へ突出する案内レール３５、３５を設けており、電動役物３１を設置した際、各リブ５２の後面が各案内レール３５の前面と交差するような姿勢で当接させるようになっている。そして、リブ５２、５２と案内レール３５、３５とが当接した状態のまま、電動役物３１が上下左右へ動作するようにしているため、動作時における電動役物３１の前後でのガタ付きを効果的に防止することができる。
【００３７】
また、電動役物３１を上下方向へ動作させるための昇降アーム６６に関し、前後方向へ折り曲げてなる段部を設けるとともに、その後面に補強金属板６９を固着しているため、昇降アーム６６の強度を向上することができ、大型の電動役物３１であっても昇降アーム６６が変形したりしない。
さらに、電動役物３１の揺動を案内する揺動用スリット６３の中央下面に凹部を設けているため、該凹部へ揺動ガイド体６２が嵌り込むことにより、電動役物３１が揺動方向で中央に位置する際に、電動役物３１をガタ付かせることなく安定して保持することができる。
【００３８】
また、昇降部材４４に光拡散板４５ｂを設けており、昇降部材４４の下降に伴い光拡散板４５ａが下降して発光基板５０の前方に位置し、発光基板５０に搭載されたＬＥＤ５０ａ、５０ａ・・の発光を拡散して発光演出を行うようにしている。したがって、発光基板５０自体を動作可能とする必要がなく、従来の如く発光基板に接続される配線が移動時に損傷してしまうといった事態の発生を防止することができる。また、配線に係る構造を簡素化することができるし、昇降部材４４の重量を低減することができ、比較的小さなモータ４７で昇降部材４４を動作させることができるため、配線やモータ４７に必要なスペースを省スペース化することができる。したがって、配線やモータ４７が他の部材の邪魔になったりしない上、電動役物３１の設計自由度を向上することができる。
さらに、昇降部材４４を、下方へ向かって左右外側へ拡がる「ハ」字状となるような姿勢とされ、夫々縮む斜め上方へ付勢力を発揮する一対のバネ４９、４９により付勢しているため、昇降部材４４の昇降動作時に昇降部材４４が左右で傾いたり、前後にばたついたりすることを防止することができる。
【００３９】
さらにまた、電動役物３１の後方で、少なくとも電動役物３１の可動範囲にわたって位置する装飾パネル３４を金属片を混入した合成樹脂製とするとともに、電動役物３１の後面の周縁部に、後方へ向けて発光するように装飾ＬＥＤ５１、５１・・を設けており、該装飾ＬＥＤ５１、５１・・も、図柄表示部６における変動表示態様や電動役物３１の動作に応じて点灯／点滅するようにしている。したがって、装飾ＬＥＤ５１、５１・・の光が装飾パネル３４に反射し、電動役物３１の外周縁を浮かび上がらせる間接照明として機能することになり、従来にない視覚的な演出、すなわち立体感のある発光演出を実現することができる。
加えて、後方へ向けて発光する装飾ＬＥＤ５１、５１・・を、前方へ向けて発光する装飾ＬＥＤ９２、９２・・と同じ発光基板９３に搭載しているため、部品点数を削減することができ、構成の合理化を図ることができる。
【００４０】
また、カバー体３２の下部で電動役物３１の下方となる箇所に、前後２つの配線路３９ａ、３９ｂをカバー体３２と一体的に積層して設けており、電動役物３１内へ引き込まれるリード線を、その接続先に応じて２つの配線路３９ａ、３９ｂで分けて配線可能（すなわち、接続される基板毎に選択的に使用可能）としている。したがって、図柄表示部６が設けられていることでリード線が多い上、上下左右へと複雑に動作可能であるにもかかわらず、リード線が絡まりにくい構造となっている。加えて、リード線を交換したような場合に、どのリード線がどの基板に配線されているか判別し易く作業性が良い。
さらに、電動役物３１の下端に設けられたリード線を引き込むための引き込み口は、突出部としての昇降用連結ボス５３により左右で区画されており、第１配線路３９ａに沿って配線されたリード線は昇降用連結ボス５３の右側から、第２配線路３９ｂに沿って配線されたリード線は昇降用連結ボス５３の左側から夫々本体カバー内へ引き込むようになっている。したがって、リード線の絡まりを一層確実に防止することができるし、リード線の判別容易性についても一層向上することができる。
【００４１】
加えて、カバー体３２の下部で電動役物３１の下方となる位置に、第１排出レール３７と第２排出レール３８とを組み付けている。そして、各排出レール３７、３８に図柄始動口１９や入賞口９１ａ〜９１ｄへ入賞した遊技球を下方へ排出するための種々の排出路を形成することで、遊技球の排出路に係る構成をユニット化している。したがって、第１排出レール３７や第２排出レール３８を組み付けるだけで容易に排出路を形成することができるし、排出路が変形した際における交換等が容易である。また、図柄始動口１９や入賞口９１ａ〜９１ｄの位置が同じであれば、異なる機種のパチンコ機にも排出レール３７、３８を適用することができ、使い勝手が良い。
【００４２】
（本発明の変更例について）
なお、本発明のパチンコ機に係る構成は、上記実施形態に何ら限定されるものではなく、パチンコ機全体の構成、電動役物の全体的な形状や大きさ、電動役物を動作させるための構成や配線に係る構成等について、本発明の趣旨を逸脱しない範囲で必要に応じて適宜変更可能である。
【００４３】
たとえば、電動役物３１を左右へ揺動させたり、上下へ昇降させたりする機構については、揺動アーム６１や昇降アーム６６を用いた機構ではなく、別の機構を採用しても何ら問題はない。また、電動役物３１に保留表示部４１や証拠図柄表示部４２を設けるか否かや、ＬＥＤをどのように配置するか等についても設計変更可能である。
さらに、配線路３９ａ、３９ｂを設ける位置や数についても上記実施形態の態様に何ら限定されることはないし、昇降アーム６６に補強金属板６９を取り付けるか否か、案内レール３５やリブ５２を設けるか否か等についても適宜変更すればよい。
【符号の説明】
【００４４】
１・・パチンコ機、２・・遊技盤、６・・図柄表示部、１６・・遊技領域、１９・・図柄始動口、２６・・センター部材、３１・・電動役物、３２・・カバー体、３４・・装飾パネル、３５・・案内レール、３６・・機構部、３７・・第１排出レール、３７ａ・・排出路、３８・・第２排出レール、３８ａ〜３８ｃ・・排出路、３９・・仕切り部材、３９ａ、３９ｂ・・配線路、４１・・保留表示部、４２・・証拠図柄表示部、４３、５１、９２・・装飾ＬＥＤ、４４・・昇降部材（可動部材）、４５・・発光部、４５ｂ・・光拡散板、４６・・カバー部、４７・・モータ、４８・・ギア、４８ａ・・突起、４９・・バネ、５０、９３・・発光基板、５２・・リブ、５４・・掛止片、６４・・突起、６６・・昇降アーム、６７・・バネ部材（付勢部材）、６８・・カム、６８ａ・・作用部、６９・・補強金属板、７３・・支持凹部、７５・・第１ケーシング体。
【図１】
0005967347.tif 000002
【図２】
0005967347.tif 000003
【図３】
0005967347.tif 000004
【図４】
0005967347.tif 000005
【図５】
0005967347.tif 000006
【図６】
0005967347.tif 000007
【図７】
0005967347.tif 000008
【図８】
0005967347.tif 000009
【図９】
0005967347.tif 000010
【図１０】
0005967347.tif 000011
【図１１】
0005967347.tif 000012
【図１２】
0005967347.tif 000013
【図１３】
0005967347.tif 000014
【図１４】
0005967347.tif 000015
【図１５】
0005967347.tif 000016
【図１６】
0005967347.tif 000017
【図１７】
0005967347.tif 000018
【図１８】
0005967347.tif 000019